(57)【要約】【課題】ポケットに収容した冷却材と背中心部とのフィット性を高め、冷却機能を向上させた身体冷却用衣服を提供する。【解決手段】本発明は、少なくとも胴体を覆い、表地２と、表地２の裏面の少なくとも一部に配置した裏地３を有する身体冷却用衣服１であって、表地２と裏地３の間には冷却材２０を収容するためのポケット４ａ、４ｂ、５、６ａ、６ｂが形成され、ポケット４ａ、４ｂ、５、６ａ、６ｂは少なくとも胸部を覆う領域及び背中上部を覆う領域のそれぞれに一つ以上配置されており、ポケット４ａ、４ｂ、５、６ａ、６ｂの表地は、表側から裏側に向けて非伸縮性生地と、不織布層及び/又は綿層と、非伸縮性生地の順番で配置された積層布帛であり、前記背中上部を覆う領域において、背中心部を覆うポケット５の裏地の少なくとも一部は伸縮性生地であり、残りのポケットの裏地は非伸縮性生地である身体冷却用衣服に関する。【選択図】図２
2019031768.tif 000002
【特許請求の範囲】
【請求項１】
少なくとも胴体を覆い、表地と、前記表地の裏面の少なくとも一部に配置した裏地を有する身体冷却用衣服であって、
前記表地と裏地の間には冷却材を収容するためのポケットが形成され、
前記ポケットは少なくとも胸部を覆う領域及び背中上部を覆う領域のそれぞれに一つ以上配置されており、
前記ポケットの表地は、表側から裏側に向けて非伸縮性生地と、不織布層及び/又は綿層と、非伸縮性生地の順番で配置された積層布帛であり、
前記背中上部を覆う領域において、背中心部を覆うポケットの裏地の少なくとも一部は伸縮性生地であり、残りのポケットの裏地は非伸縮性生地であることを特徴とする身体冷却用衣服。
【請求項２】
前記背中上部を覆う領域には、背中心部を覆うポケットとその両隣の肩甲骨を覆うポケットが配置されており、背中心部を覆うポケットの裏地の少なくとも一部は伸縮性生地である請求項１に記載の身体冷却用衣服。
【請求項３】
前記身体冷却用衣服の両脇部は、表側から裏側に向けて非伸縮性生地と、不織布層及び/又は綿層と、非伸縮性生地の順番で配置された積層布帛からなる表地と、非伸縮性生地からなる裏地で構成され、前記両脇部の上部の表地と裏地の間には保冷材を収容ためのポケットが設けられている請求項１又は２に記載の身体冷却用衣服。
【請求項４】
前記身体冷却用衣服には襟部を含み、前記襟部の内側には、保冷材を収容ためのポケットが設けられている請求項１〜３のいずれか１項に記載の身体冷却用衣服。
【請求項５】
前記襟部の裏地は伸縮性生地で形成されている請求項１〜４のいずれか１項に記載の身体冷却用衣服。
【発明の詳細な説明】
【技術分野】
【０００１】
本発明は、冷却材を収容するポケットを有する身体冷却用衣服に関する。
【背景技術】
【０００２】
従来から、高温下で作業する場合や高温下で生活する場合に、ポケットに冷却材を収容した身体冷却衣服を着用することで、身体を冷却することが提案されている。例えば、特許文献１には、ナイロンメッシュ素材の衣服本体に、背中を冷却するための冷却材を収納するポケット、脇の下方を冷却するための冷却材を収納する収納ポケット、首の後部を冷却するための冷却材を収納するポケットを設けた冷却機能を有する衣服が提案されている。特許文献２には、メッシュ素材で形成された衣服本体に、メッシュ素材で形成され、保冷材を収容する胸部ポケット、腹側部ポケット、背部ポケット、首ポケットを設けた身体冷却用衣服が提案されている。
【先行技術文献】
【特許文献】
【０００３】
【特許文献１】特開２００２−３０９４１４号公報
【特許文献２】特開２０１１−１６６９号公報
【発明の概要】
【発明が解決しようとする課題】
【０００４】
特許文献１では、背中に収納ポケットが縦横に並んだ４つ設けられている。特許文献２には背部ポケットが上下に１つずつ設けられてよいことや上下に２箇所ずつ設けられてよいことが記載されている。特許文献１及び２のように背部ポケットを設けた場合、背中心部において、ポケットに収容された冷却材と身体とのフィット性が悪く、冷却機能が劣るという問題があった。
【０００５】
本発明は、上記問題を解決するため、ポケットに収容した冷却材と背中心部とのフィット性を高め、冷却機能を向上させた身体冷却用衣服を提供する。
【課題を解決するための手段】
【０００６】
本発明は、少なくとも胴体を覆い、表地と、前記表地の裏面の少なくとも一部に配置した裏地を有する身体冷却用衣服であって、前記表地と裏地の間には冷却材を収容するためのポケットが形成され、前記ポケットは少なくとも胸部を覆う領域及び背中上部を覆う領域のそれぞれに一つ以上配置されており、前記ポケットの表地は、表側から裏側に向けて非伸縮性生地と、不織布層及び/又は綿層と、非伸縮性生地がこの順番で配置された積層布帛であり、前記背中上部を覆う領域において、背中心部を覆うポケットの裏地の少なくとも一部は伸縮性生地であり、残りのポケットの裏地は非伸縮性生地であることを特徴とする身体冷却用衣服に関する。
【発明の効果】
【０００７】
本発明は、ポケットに収容した冷却材と背中心部とのフィット性を高め、冷却機能を向上させた身体冷却用衣服を提供することができる。
【図面の簡単な説明】
【０００８】
【図１】図１Ａは本発明の一例の身体冷却用衣服の模式的正面図であり、図１Ｂは同模式的背面図である。
【図２】図２は同模式的裏面図である。
【図３】図３Ａは同冷却材を収容した状態の模式的正面図であり、図３Ｂは同冷却材を収容した状態の模式的背面図である。
【図４】図４は同冷却材を収容した状態の模式的裏面図である。
【図５】図５は図３ＢにおけるポケットのＩ−Ｉ断面図である。
【図６】図６Ａは襟部の袋状ポケットを開けた状態を示す模式的説明図であり、図６Ｂは袋状ポケットを閉めた状態を示す模式的に説明図である。
【図７】図７Ａは本発明の他の一例の身体冷却用衣服の模式的正面図であり、図７Ｂは同模式的背面図である。
【図８】図８Ａは同冷却材を収容した状態の模式的正面図であり、図８Ｂは同冷却材を収容した状態の模式的背面図である。
【図９】図９は人体の上半身における発汗量を示す模式図である。
【図１０】図１０は背中心部ポケットの試料を用いて冷却材の裏側及び表側へのふくらみを測定する方法を説明する模式的説明図である。
【図１１】図１１は背中心部ポケットの試料における裏地の伸長率及び裏側へのふくらみの関係を示すグラフである。
【図１２】図１２は衣服圧センサーの取り付け位置を説明する模式的説明である。
【図１３】図１３は同模式的断面図である。
【図１４】図１４は直腸温の変化を示すグラフである。
【図１５】図１５Ａは本発明の他の一例の身体冷却用衣服の模式的正面図であり、図１５Ｂは同模式的背面図である。
【図１６】図１６は同模式的裏面図である。
【発明を実施するための形態】
【０００９】
発明者らは、冷却材を収容するポケットを有する身体冷却用衣服において、冷却材を収容したポケットと背中心部とのフィット性を高めることについて鋭意検討した。その結果、前記ポケットの表地は、表側から裏側に向けて非伸縮性生地と、不織布層及び/又は綿層と、非伸縮性生地の順番で配置された積層布帛とし、背中心部を覆うポケットの裏地の少なくとも一部を伸縮性生地とし、残りのポケットの裏地を非伸縮性生地とすることで、ポケットに冷却材を収容した場合、冷却材が身体側に膨らみ、冷却材と背中心部表面の凹凸（背骨の窪み）とのフィット性が高まるとともに、冷却性能が高まることを見出した。図９（第６４回日本生理人類学会、２０１１年６月１２日、「運動時における発汗量の身体部位差：吸水材を用いて」、井上芳光）に示されているように、背中心部、特に左右の肩甲骨の間は発汗量が多く、ポケットに収容された冷却材と背中心部とのフィット性が高まることにより、冷却性能も向上する。
【００１０】
本発明において、「伸縮性生地」とは、生地の身体の長さ方向における伸長率（以下において、縦伸長率とも記す。）及び／又は身体の周方向における伸長率（以下において、横伸長率とも記す。）が２０％以上であることを意味する。伸縮性生地の伸長率は特に限定されないが、例えば、ポケットに収容された冷却材と背中心部とのフィット性を高める観点から、伸縮性生地の縦伸長率及び/又は横伸長率は３０％以上であることが好ましく、５０％以上であることがより好ましく、６０％以上であることがさらに好ましく、７５％以上であることが特に好ましい。また、例えば、ポケットに収容された冷却材と背中心部とのフィット性を高めつつ、ポケットにおける冷却材の保持性を高める観点から、伸縮性生地の縦伸長率及び/又は横伸長率は４００％以下であることが好ましく、３００％以下であることがより好ましい。
【００１１】
前記伸縮性生地としては、上述した伸長率を有するものであれば特に限定されず、例えば、編物やポリウレタン繊維などの弾性繊維を混入した伸縮性を有する織物などを用いることができる。編物の場合は、ポリウレタン繊維などの弾性繊維を含んでも良く、含まなくともよいが、伸縮性を高める観点から、ポリウレタン繊維などの弾性繊維を含むことが好ましい。伸縮性を有する編物としては、天竺、スムース、パワーネット、トリコットなどが挙げられる。伸縮性を有する織物としては、ポリウレタン繊維などの弾性繊維を混入した伸縮性を有するストレッチブロード、ストレッチサテンなどが挙げられる。伸縮性生地は、身体の長さ方向又は身体の幅方向の一方向に伸縮性を有するもの（以下において、「１ウェイストレッチ生地」とも記す。）であってもよく、身体の長さ方向及び身体の幅方向の二方向に伸縮性を有するもの（以下において、「２ウェイストレッチ生地」とも記す。）であってもよい。前記伸縮性生地は、特に限定されないが、例えば、目付が３０〜３５０ｇ/ｍ2であることが好ましく、５０〜３００ｇ/ｍ2であることがより好ましい。
【００１２】
本発明において、「非伸縮性生地」とは、生地の身体の長さ方向における伸長率及び身体の周方向における伸長率が０％以上２０％未満であることを意味する。非伸縮性生地の伸長率は特に限定されないが、例えば、ポケットにおける冷却材の保持性を高める観点から、非伸縮性生地の伸長率は、５％以下であることが好ましい。
【００１３】
前記非伸縮性生地としては、上述した伸長率を有するものであれば特に限定されず、例えば、ポリエステル繊維及び/又はコットンで構成された織物を用いることができる。上記織物の組織としては、特に限定されず、例えば、平織、斜文織、朱子織、変化織等が挙げられる。前記非伸縮性生地は、特に限定されないが、例えば、目付が１０〜２００ｇ/ｍ2であることが好ましく、３０〜１８０ｇ/ｍ2であることがより好ましい。
【００１４】
本発明において、伸長率（伸び率とも称される。）は、ＪＩＳ  Ｌ  １０９６  ８．１４．１  Ａ法（定速伸長法）に基づいて、荷重は１７Ｎ、引張速度は２００ｍｍ／ｍｉｎの条件下で測定する。
【００１５】
前記身体冷却用衣服は、少なくとも胴体を覆うものであればよく特に限定されず、例えば、ベスト、ジャケット等が挙げられる。本発明において、身体とは、裸体の状態及び衣服を着用している状態を含む。前記身体冷却用衣服は、裸体の上にそのまま着用してもよく、既に着用している衣服の上から着用してもよい。
【００１６】
前記身体冷却用衣服は、表地と、前記表地の裏面の少なくとも一部に配置した裏地を有し、前記表地と裏地の間には冷却材を収容するためのポケットが形成されている。すなわち、前記身体冷却用衣服において、ポケットは衣服本体の裏側に配置されていることになる。前記ポケットは少なくとも胸部を覆う領域及び背中上部を覆う領域のそれぞれに一つ以上配置されている。胸部を全体的にバランスよく冷却する観点から、胸部を覆う領域には左右対称的に二つのポケット（以下において、単に「胸部ポケット」とも記す。）が配置されていてもよい。前記身体冷却用衣服において、簡便に着用する観点から、前身頃は中央部において左右に分断されており、左右の前身頃は連結部材によって開閉可能に連結されていることが好ましい。連結部材としては、特に限定されないが、冷気を逃がさない観点から、例えば、ファスナーや面ファスナー等を用いることが好ましい。
【００１７】
前記背中上部を覆う領域に配置されたポケット（以下において、単に「背中上部ポケット」とも記す。）は、背中心部を覆うポケット（以下において、単に背中心部ポケットとも記す。）とその両隣の肩甲骨を覆うポケット（以下において、単に肩甲骨ポケットとも記す。）を有し、背中心部を覆うポケットの裏地の少なくとも一部は伸縮性生地であることが好ましい。前記背中心部ポケットにおいて、裏地の上部が伸縮性生地で構成されることが好ましく、裏地の上端から全体長さの５０％以上が伸縮性生地で構成されることがより好ましく、裏地の上端から全体長さの６０％以上が伸縮性生地で構成されることがさらに好ましく、裏地の上端から全体長さの７０％以上が伸縮性生地で構成されることがさらに好ましい。別の言い方をすれば、少なくともポケットの下端は非伸縮性生地で構成され、衣服の裏地かつ／又は表地と接着や縫着等で一体化することが望ましい。この構造により冷却材の倒れこみを防ぎ人体と冷却材の接触を良好に保つことができる。非伸縮性生地の下端からの高さは、１ｃｍから１０ｃｍが好ましい。また、肩甲骨ポケットには、背中心部ポケットと接する側の下部に凸部（マチ）を設けることが好ましい。これにより、肩甲骨ポケットが冷却材を収容した際、冷却材が肩甲骨の形状に沿って身体にフィットしやすくなることで、背中心部ポケットに収容された冷却材も背中心部にフィットしやすくなり、冷却効果が向上する。
【００１８】
前記胸部ポケット及び背中上部ポケットにおいて、上述した背中心部ポケットの少なくとも一部が伸縮性生地である以外は、残りのポケットの裏地は非伸縮性生地である。これにより、前記ポケットに冷却材を収容した場合、ポケットに収容した冷却材と背中心部とのフィット性が高いとともに、ポケットによる冷却材の保持性も良好になる。
【００１９】
前記胸部ポケット及び背中上部ポケットにおいて、表地は表側から裏側に向けて非伸縮性生地と、不織布層及び/又は綿層と、非伸縮性生地の順番で配置された積層布帛とし、裏地は薄い伸縮性生地又は非伸縮性生地とすることで、保冷材による冷却効果が良好になる。前記裏地は、単層の伸縮性生地又は非伸縮性生地であればよく、特に限定されないが、例えば、冷却効果を高める観点から、厚みが０．２〜８ｍｍであることが好ましく、０．３〜５ｍｍであることがより好ましい。なお、厚みはＪＩＳ  １０９６  Ｌ  Ａ法で測定する。前記積層布帛において、不織布層又は綿層は断熱効果を有し、これにより、冷却材による冷気が身体側に作用しやすく、外気へ逃げない。不織布層又は綿層は、特に限定されないが、例えば、ポリエステル繊維やコットンを用いて構成することができる。前記不織布層又は綿層は、特に限定されないが、断熱効果を高める観点から、厚みが０．１〜１０ｍｍであることが好ましく、０．２〜８ｍｍであることがより好ましい。前記不織布層又は綿層は、特に限定されないが、断熱効果を高める観点から、目付が５〜１５０ｇ／ｍ2であることが好ましく、１０〜１００ｇ／ｍ2であることがより好ましい。
【００２０】
前記身体冷却用衣服の両脇部にも、保冷材を収容するためのポケット（以下、脇ポケットとも記す。）が配置されていることが好ましい。脇には動脈が通っていることから、脇ポケットを設け、冷却材を収容することで、身体を効果的に冷却することができる。脇ポケットは、例えば、両脇部を伸縮性生地で形成し、前記両脇部の頂部に固定されていてもよい。この場合、脇ポケットは、伸縮性生地の表地と非伸縮性生地の裏地で構成されている。このように、身体冷却用衣服の両脇部は伸縮性生地で形成することにより、脇ポケットに収容した冷却材に脇に密着しやすく、冷却性能が向上するとともに、着用者の身体に適応しやすくなる。一方、脇ポケットに収容した冷却材と脇部との密着性、特に身体冷却用衣服を着用して身体を動かした場合の脇ポケットに収容した冷却材と脇部との密着性を高める観点から、例えば、身体冷却用衣服の両脇部の表地を上述した積層生地で構成し、裏地を非伸縮性生地で構成し、該脇部を衣服の前身頃に斜めになるように配置し、脇ポケットを両脇部の上部にそれぞれ設けてもよい。この場合、脇ポケットは、積層生地の表地と非伸縮性生地の裏地で構成されている。この形態の場合、着用性の観点から、脇部と背部の間には伸縮性生地が配置されていることが好ましい。
【００２１】
前記身体冷却用衣服は襟部を含み、前記襟部は袋状に形成され、内部は保冷材を収容するためのポケット（以下において、襟ポケットとも記す。）であることが好ましい。首には動脈が通っていることから、襟ポケットを設け、冷却材を収容することで、身体を効果的に冷却することができる。前記襟部は少なくとも一部が伸縮性生地で形成されていることが好ましい。これにより、襟が首に適応しやすく、襟ポケットに収容した冷却材と首との密着性が高まる。前記襟部は、具体的には、例えば、表地、裏地、及び蓋部で袋状に形成することができる。また、蓋部の中央部及び表地の中央部にそれぞれ対応する留め具固定部を設け、留め具固定部に固定した留め具を連結することで、蓋部を閉めることができる。襟部の裏地は全体的に伸縮性生地であることが好ましい。襟部の表地において、留め具固定部以外は、伸縮性生地であることが好ましい。留め具固定部は、非伸縮性生地で形成されていることが好ましい。ここに非伸縮性生地を配置することで襟部が冷却剤の重みで倒れることを防ぎ、人体と襟部の接触を保つことができる。また、蓋部において、留め具固定部以外の部分は、二枚の伸縮性生地を周縁部で縫い合わせた二重生地で形成してもよい。襟部において、表地の裏側には断熱部材を配置することが好ましく、断熱部材としては、例えば、非伸縮性生地と、不織布層及び/又は綿層と、非伸縮性生地がこの順番で配置された積層布帛を用いることができる。断熱部材の首の周方向の両端部にはそれぞれ伸縮手段が設けられていることが好ましい。このような襟部を有することにより、襟ポケットに冷却材を収容した場合、襟部と首のフィット性が高まり、冷却効果が良好になる。
【００２２】
前記身体冷却用衣服は襟部を含み、襟部の内側にポケットが設けられてもよい。具体的には、襟部において、表地が表側から裏側に向けて非伸縮性生地と、不織布層及び/又は綿層と、非伸縮性生地がこの順番で配置された積層布帛で構成され、裏地が伸縮性生地で構成され、該表地と裏地の間に冷却材を収容するためのポケットが形成されていてもよい。襟ポケットが、積層生地の表地と、伸縮性生地の裏地の間に形成されていることにより、身体冷却用衣服を着用した後に身体を動かした場合でも、襟ポケットに収容された冷却材と首の表面とのフィット性を高めることができる。表地の上部には首の周方向に沿って伸縮部材、例えば、スピンドルを配置することが好ましい。スピンドルを締めることで、襟ポケットに収容されている冷却材が首に密着しやすい。
【００２３】
前記身体冷却用衣服において、襟部が袋状のポケットを有する場合、肩部は伸縮性生地で形成され、襟部の表地である伸縮性生地と縫製等で連結されていてもよい。これにより、首の太さに合わせて伸縮しやすく、襟ポケットに冷却材を収容した場合、襟ポケットに収容された冷却材と首の表面とのフィット性が高まる。前記身体冷却用衣服において、襟の内側にポケットが配置されている場合は、肩部は、非伸縮性生地で形成されていることが好ましい。これにより、身体冷却用衣服を着用した後に身体を動かした場合でも、襟ポケットに収容された冷却材と首の表面とのフィット性を高めることができる。
【００２４】
前記身体冷却用衣服は、背中下部を覆う領域及び/又は腹部を覆う領域にも、表地と裏地の間に形成されたポケットを有しても良い。冷却効果を高めつつ、軽量性の観点から、背中下部を覆う領域及び/又は腹部を覆う領域には冷却材を収容するポケットを有しなくてもよい。これらのポケットにおいて、表地は表側から裏側に向けて非伸縮性生地と、不織布層及び/又は綿層と、非伸縮性生地の順番で配置された積層布帛とし、裏地は非伸縮性生地とすることで、保冷材による冷却効果が良好になる。図９に示されているように、背中上部及び胸部は発汗量が多く、腹部と背中下部は発汗量が少ないことから、上述したように、背中上部及び胸部を覆う領域に冷却材を収容するポケットを設けることで、軽量性を確保しつつ、冷却性能も効果的に発揮することができる。
【００２５】
前記身体冷却用衣服のポケットに冷却材を収容し、冷却材をポケットに収容した身体冷却用衣服を着用することで、身体を冷却することができる。特に、高温下でスポーツを行う場合、休憩時に冷却材をポケットに収容した身体冷却用衣服を着用して身体を冷却するだけで、休憩後にスポーツを行う際の発汗量が抑えられるとともに、運動パフォーマンスが向上する。
【００２６】
前記冷却材としては、特に限定されず、公知のものを用いることができる。冷却剤（保冷剤とも称される。）、例えば、水や水に水溶性高分子材等を溶解した水系ゲル蓄熱体を密閉容器、例えば樹脂製の収納袋で封入した冷却材（以下において、水系冷却材とも記す。）を用いることができる。水系冷却材は、冷凍装置を用いて冷凍させた後に使用することができる。また、多孔性シートで構成された袋にドライアイスを充填して冷却材として用いても良い。繰り返し使うことができ、身体へのフィット性が高く、冷却効果が高いという観点から、冷却剤として水系ゲル蓄熱体を用いた冷却材を使用することが好ましい。取扱い性を高める観点から、水系冷却材は、水又は水に水溶性高分子材等を溶解した水系ゲル蓄熱体を内袋に封入した後に、さらに外袋に入れた状態で用いても良い。また、可撓性をもつペルチェ冷却素子の利用も可能である。前記冷却材の大きさ及び厚みは、特に、限定されず、例えば、冷却材を収容するポケットの大きさや冷却する時間等に応じて適宜調選択して使用することができる。それぞれのポケットに収容される冷却材は、冷却剤の収納袋が１つであってもよく、２つ以上の収納袋が連結されたものであってもよい。
【００２７】
前記身体冷却用衣服において、上記で特に指摘がなかった箇所の衣服本体生地（表地）は、非伸縮性生地で構成されている。これにより、ポケットによる冷却材の保持性が良好になる。
【００２８】
以下、図面に基づいて、本発明の１以上の実施形態に係る身体冷却用衣服を説明する。しかし、本発明は、これらの図面に示されるものに限定されない。
【００２９】
図１Ａは本発明の一例の身体冷却用衣服（ベスト）の模式的正面図であり、図１Ｂは同模式的背面図である。図２は同模式的裏面図である。図３Ａは同冷却材を収容した状態の模式的正面図であり、図３Ｂは同冷却材を収容した状態の模式的背面図である。図４は同冷却材を収容した状態の模式的裏面図である。
【００３０】
図１〜４に示されているように、該実施形態の身体冷却用衣服１は、表地２と、表地２の裏面の少なくとも一部に配置した裏地３を有し、表地２と裏地３の間には、冷却材２０を収容するためのポケット４ａ、４ｂ、５、６ａ、６ｂが形成されている。具体的には、胸部を覆う領域には、左右対称的に二つのポケット４ａ、４ｂが、それぞれ、左右の前身頃に配置されている。左右の前身頃は連結部材１１で連結されている。また、背中上部を覆う領域には、背中心部を覆うポケット５と、その両隣の肩甲骨を覆うポケット６ａ、６ｂが配置されている。ポケット５において、裏地３の一部は伸縮性生地であり、ポケット５の裏地の伸縮性生地以外の部分と、ポケット４ａ、４ｂ、６ａ及び６ｂの裏地３は非伸縮性生地である。ポケット４ａ、４ｂ、５、６ａ及び６ｂにおいて、表地２は、非伸縮性生地と、不織布層及び/又は綿層と、非伸縮性生地がこの順番で配置された積層布帛である。図５の冷却材２０を収容したポケット５、６ａ及び６ｂのＩ−Ｉ断面図に示されているように、ポケット５の裏地は単層構造の伸縮性生地３０であり、ポケット６ａ、６ｂの裏地は単層構造の非伸縮性生地４０であり、ポケット５、６ａ及び６ｂの表地は非伸縮性生地４０、不織布層及び/又は綿層５０と、非伸縮性生地４０がこの順番で配置された積層布帛６０である。
【００３１】
身体冷却用衣服１において、両脇部１２ａ、１２ｂは、伸縮性生地で形成され、両脇部１２ａ、１２ｂの頂部に、冷却材２０を収容するためのポケット７ａ、７ｂが固定されている。ポケット７ａ、７ｂの裏地（身体側）は非伸縮性生地である。ポケット７ａ、７ｂの表地は、非伸縮性生地と、不織布層及び/又は綿層と、非伸縮性生地がこの順番で配置された積層布帛である。
【００３２】
身体冷却用衣服１は、襟部１３を含み、襟部１３の袋状に形成され、内部は保冷材２０を収容するためのポケット８となる。図６Ａは襟部の袋状ポケットを開けた状態を示す模式的説明図であり、図６Ｂは袋状ポケットを閉めた状態を示す模式的に説明図である。襟部１３は、表地２、裏地３、及び蓋部１３１で袋状に形成されており、蓋部１３１の中央部には留め具固定部１３３が設けられており、表地２の中央部には対応する留め具固定部１３４が設けられ、留め具固定部１３３は留め具１３５を備え、留め具固定部１３４は対応する留め具１３６を備え、留め具１３５と留め具１３６を連結することで、蓋部１３１を閉めることができる。襟部１３の裏地３は伸縮性生地である。襟部１３の表地２において、留め具固定部１３４以外は、伸縮性生地である。留め具固定部１３４は、非伸縮性生地で形成されている。蓋部１３１において、留め具固定部１３３以外の部分は、伸縮性生地を周縁部で縫い合わせた二重生地で形成されている。留め具固定部１３３は、非伸縮性生地と、不織布層及び/又は綿層と、非伸縮性生地がこの順番で配置された積層布帛で形成されている。留め具１３５及び１３６としては、ボタンを用いることができる。襟部１３において、表地２の裏側には断熱部材１３２が配置されており、断熱部材１３２は、非伸縮性生地と、不織布層及び/又は綿層と、非伸縮性生地がこの順番で配置された積層布帛で形成することができる。断熱部材１３２は、表地２の留め具固定部１３４の首の周方向の両端部と縫着されることで、表地２に連結されている。また、断熱部材１３２の首の周方向の両端部にはそれぞれ伸縮手段１３７が設けられている。このような襟部を有することにより、襟ポケット８に冷却材を収容した場合、襟ポケット８に収容された冷却材と首の表面のフィット性が高まり、冷却効果が良好になる。
【００３３】
身体冷却用衣服１において、肩部１４ａ、１４ｂは伸縮性生地で構成され、襟部１３の表地である伸縮性生地と縫製等で連結されている。これにより、首の太さに合わせて伸縮しやすく、襟ポケット８に冷却材を収容した場合、襟ポケット８に収容された冷却材と首の表面のフィット性が高まる。
【００３４】
図７Ａは本発明の他の一例の身体冷却用衣服（ベスト）の模式的正面図であり、図７Ｂは同模式的背面図である。図８Ａは同冷却材を収容した状態の模式的正面図であり、図８Ｂは同冷却材を収容した状態の模式的背面図である。図７〜８において、図１、３と同一の部分には同一の符合を付けており、重複する説明は省略する。図７〜８と図１、３において同一の部分は、同様の機能を有する。該実施形態の身体冷却用衣服１０１は、腹部を覆う領域に左右対称的に配置されたポケット９ａ、９ｂと、背中下部を覆う領域に左右対称的に配置されたポケット１０ａ、１０ｂを有する以外は、身体冷却用衣服１と同様の構成である。ポケット９ａ、９ｂ、１０ａ及び１０ｂは、表側から裏側に向けて非伸縮性生地と、不織布層及び/又は綿層と、非伸縮性生地がこの順番で配置された積層布帛で構成された表地と、伸縮性生地で構成された裏地の間に形成されている。
【００３５】
図１５Ａは本発明の一例の身体冷却用衣服（ベスト）の模式的正面図であり、図１５Ｂは同模式的背面図である。図１６は同模式的裏面図である。図１５及び１６において、図１及び２と同一の部分には同一の符合を付けており、重複する説明は省略する。図１５及び１６と図１及び２において同一の部分は、同様の機能を有する。該実施形態の身体冷却用衣服２０１は、後述するように、襟部、肩部、肩甲骨ポケット、脇部、脇部と背部の連結部以外は、身体冷却用衣服１と同様の構成である。なお、身体冷却用衣服２０１は、身体冷却用衣服１に比べて、丈方向サイズ及び腹回りのサイズが小さくなっており、身体に対するフィット感が高まっている。
【００３６】
身体冷却用衣服２０１における肩甲骨ポケット１６ａ及び１６ｂは、背中心部ポケットと接する側の下部に凸部（マチ）７０が設けられている以外は、身体冷却用衣服１における肩甲骨ポケット６ａ及び６ｂと同じ構成である。肩甲骨ポケット１６ａ及び１６ｂが凸部７０を有することにより、肩甲骨ポケットが冷却材を収容した際、冷却材が肩甲骨の形状に沿って身体にフィットしやすいことで、背中心部ポケットに収容された冷却材も背中心部にフィットしやすくなり、冷却効果が高まる。
【００３７】
身体冷却用衣服２０１において、両脇部２２ａ、２２ｂは、衣服の前身頃において斜めになるように配置されており、非伸縮性生地と、不織布層及び/又は綿層と、非伸縮性生地がこの順番で配置された積層布帛である表地と、非伸縮性生地である裏地で形成されており、両脇部２２ａ、２２ｂの上部に、冷却材（図示なし）を収容するためのポケット１７ａ、１７ｂが設けられている。
【００３８】
身体冷却用衣服２０１において、着用性の観点から、脇部と背部の間には伸縮性生地８０が配置されていることが好ましい。伸縮性生地８０は、前身頃及び後身頃に跨るように配置されている。すなわち、身体冷却用衣服２０１において、伸縮性生地８０以外の部分の表地は、積層布帛又は非伸縮性生地で構成されている。
【００３９】
身体冷却用衣服２０１は、襟部２３を含み、襟部２３の内側にポケット１８が配置されていてもよい。具体的には、襟部２３は、表地が表側から裏側に向けて非伸縮性生地と、不織布層及び/又は綿層と、非伸縮性生地がこの順番で配置された積層布帛で構成され、裏地が伸縮性生地で構成され、該表地と裏地の間に冷却材を収容するためのポケット１８が形成されている。襟ポケット１８が、積層生地の表地と、伸縮性生地の裏地の間に形成されていることにより、身体冷却用衣服を着用した後に身体を動かした場合でも、襟ポケットに収容された冷却材と首の表面とのフィット性を高めることができる。また、表地の上部には首の周方向に沿ってスピンドル２１が配置されており、スピンドル２１を締めることで、襟ポケット１８に収容されている冷却材が首に密着しやすい。
【００４０】
身体冷却用衣服２０１において、肩部２４ａ及び２４ｂは、非伸縮性生地で形成されていることが好ましい。これにより、身体冷却用衣服を着用した後に身体を動かした場合でも、襟ポケット１８に収容された冷却材と首の表面とのフィット性を高めることができる。
【実施例】
【００４１】
以下実施例を用いて本発明をさらに具体的に説明する。なお、本発明は下記の実施例に限定されるものではない。
【００４２】
まず、背中心部ポケットを形成する表地と裏地について検討した。生地として、下記のものを用いた。
生地ａ：平織、目付：５６ｇ／ｍ2、厚み：０．８５ｍｍ、糸使い：タテ糸及びヨコ糸のいずれも、ポリエステルマルチフィラメント（単繊維繊度３３ｄｔｅｘ、フィラメント数３６本）、打ち込み本数：タテ２０８本／インチ（２．５４ｃｍ）、ヨコ１７１本本／インチ（２．５４ｃｍ）、縦伸長率：２．９％；横伸長率：３．１％
生地ｂ：平織、目付：１３１ｇ／ｍ2、厚み：１．２ｍｍ、糸使い：タテ糸及びヨコ糸のいずれも、ナイロン６５質量％、ポリウレタン質量３５％、マルチフィラメント・ポリウレタンカバーリングヤーン（単繊維繊度３３ｄｔｅｘ、フィラメント数１０本）、打ち込み本数：縦１８５本／インチ、横１７２本／インチ、縦伸長率：３７．７％；横伸長率：３９．８％
生地ｃ：平織、目付：９８ｇ／ｍ2、厚み：１．１ｍｍ、糸使い：ナイロン６８質量％、ポリウレタン３２質量％、マルチフィラメント・ポリウレタンカバーリングヤーン（単繊維繊度２２ｄｔｅｘ、フィラメント数２４本）、打ち込み本数：縦２１０本／インチ、横１９４本／インチ、縦伸長率：６３．５％；横伸長率：６５．５％
生地ｄ：トリコット（２ウェイストレッチ生地）、目付：２３５ｇ／ｍ2、厚み：０．９４５ｍｍ、糸使い：糸１としてポリエステルマルチフィラメント（単繊維繊度８４ｄｔｅｘ、フィラメント数７２本）、糸２としてポリエステルマルチフィラメント（単繊維繊度５６ｄｔｅｘ、フィラメント数４８本）、糸３としてポリプロピレンマルチフィラメント（単繊維繊度５６ｄｔｅｘ、フィラメント数３０本）、糸４としてポリウレタンモノフィラメント（繊度３３ｄｔｅｘ）を用い、ポリエステル繊維８０質量％、ポリプロピレン繊維８質量％、ポリウレタン１２質量％を含むようにした；縦伸長率：１４５．０％；横伸長率：９１．７％
生地ｅ：トリコット（２ウェイストレッチ生地）、目付：１１１ｇ／ｍ2、厚み：０．３２ｍｍ、糸使い：ナイロン質量８０％（ナイロンマルチフィラメント：単繊維繊度３３ｄｔｅｘ、フィラメント数２４本）、ポリウレタン２０質量％（ポリウレタンモノフィラメント２２ｄｔｅｘ）、縦伸長率：１３０％；横伸長率：１７７．１％
【００４３】
（製造例１〜６）
表地として下記表１に示す生地を２２ｃｍ×１４ｃｍにカットして用い、裏地として下記表１に示す生地を８．５ｃｍ×１４ｃｍにカットして用い、６．５ｃｍ幅でステッチを入れ、冷却材の入る筒を作製し、背中心部ポケットの試料とした。
【００４４】
背中心部ポケットの試料において、筒の中に冷却材（三重化学製、カルボキシメチルセルロース系保冷剤、厚み２ｃｍ、長さ１４ｃｍ、幅６．５ｃｍ）を収容した後、図１０に示されているように、冷却材を収容した背中心部ポケットの試料２００を引張試験機３００によって３０Ｎの力で固定し（チャック間１２．５ｃｍ）、その時の中心から表側及び裏側へのふくらみ量を測定した。図１０において、矢印で示されている方向が裏側となる。裏側へのふくらみ量が多いほど、身体側へ寄ることを意味する。結果を下記表１及び図１１に示した。下記表１及び図１１において、伸長率は、背中心部ポケットの試料の長手方向における伸長率であり、実際の身体冷却用衣服における縦方向における伸長率に該当する。
【００４５】
【表１】
2019031768.tif 000003
【００４６】
上記表１から分かるように、背中心部ポケットにおいて、表地を非伸縮性生地とし、裏地を伸縮性生地とすることで、裏側へのふくらみが表側へのふくらみより大きく、背中心部ポケットに収容された冷却材が背中心部へフィットしやすくなる。また、表１及び図１１から分かるように、裏地の伸長率が大きいほど、裏側へのふくらみ量が大きく、より背中心部へフィットする。
【００４７】
（実施例１）
図１〜６に示されている身体冷却用衣服１（ベスト、ＪＡＳＰＯ  Ｌサイズ）を作製した。ポケット４ａ、４ｂ、５、６ａ、６ｂ、７ａ、７ｂの表地として、表側から裏側に向けて生地ａ、不織布層（種類：ポリエステル不織布、繊維構成：ポリエステル繊維１００質量％、目付：４０ｇ/ｍ2、厚み：２ｍｍ）、生地ａの順番で配置された積層布帛ｆを用いた。ポケット５の裏地の上端から全体長さの８９％までを生地ｄとし、生地ｄの縦方向が身体の長さ方向と一致するようにした。ポケット５の裏地の残りの部分及びポケット４ａ、４ｂ、６ａ、６ｂ、７ａ、７ｂの裏地として生地ａを用いた。連結部材１１として、ファスナーを用いた。襟部１３の裏地は生地ｄとし、生地ｄの縦方向が身体の周方向と一致するようにした。襟部１３の表地において、留め具固定部１３４以外は、生地ｄを用い、生地ｄの縦方向が身体の周方向と一致するようにした。蓋部１３１において、留め具固定部１３３以外の部分は、生地ｄを周縁部で縫い合わせた二重生地で形成した（生地ｄの縦方向が身体の周方向と一致するようにした）。留め具固定部１３４は、生地ａで形成した。留め具固定部１３３は、積層布帛ｆで形成した。留め具１３５及び１３６として、ボタンを用いた。断熱部材１３２として積層布帛ｆを用いた。伸縮手段１３７としては、コールゴム（長さ５ｃｍ、幅１ｃｍ、厚み０．１ｃｍ）を用いた。
【００４８】
（実施例２）
図１５及び１６に示されている身体冷却用衣服２０１（ベスト、ＪＡＳＰＯ  Ｌサイズ）を作製した。ポケット４ａ、４ｂ、５、１６ａ、１６ｂ、１７ａ、１７ｂ、１８の表地として、表側から裏側に向けて生地ａ、不織布層（種類：ポリエステル不織布、繊維構成：ポリエステル繊維１００質量％、目付：４０ｇ/ｍ2、厚み：２ｍｍ）、生地ａの順番で配置された積層布帛ｆを用いた。ポケット５の裏地の上端から全体長さの８９％までの生地、及びポケット１８の裏地を生地ｄとし、生地ｄの縦方向が身体の長さ方向と一致するようにした。ポケット５の裏地の残りの部分及びポケット４ａ、４ｂ、６ａ、６ｂ、１７ａ、１７ｂの裏地として生地ａを用いた。脇部と背部の間に配置される伸縮性生地８０として、生地ｄを用いた。連結部材１１として、ファスナーを用いた。
【００４９】
（比較例１）
ポケット５の裏地全体を生地ａとした以外は、実施例１と同様にして、ベストを作製した。
【００５０】
実施例１〜２及び比較例１のベストを衣服の上から着用し、下記のように衣服圧を測定した。その結果を下記表２に示した。
【００５１】
（衣服圧の測定）
被験者（男性、身長１７７ｃｍ、体重６６ｋｇ、胸囲８６ｃｍ、ウエスト７６．５ｃｍ）が衣服を着用した状態で、図１２Ａ−Ｂに示されているように、衣服の上から背中に衣服圧センサー４００を、それぞれ、第７頸椎からの距離が１０ｃｍのＡ点、２２．５ｃｍのＢ点、３５ｃｍのＣ点に貼り付けた後、ポケット５のみに冷却材（三重化学社製、厚み４ｃｍ）を収容した身体冷却用衣服（ベスト）を着用し、ベスト着用時の衣服圧を測定した。図１３に、衣服圧センサー４００を貼り付けたＡ点、Ｂ点及びＣ点を通る身体の上から見た断面図を示した。
【００５２】
【表２】
2019031768.tif 000004
【００５３】
上記表２において、A、B及びCの衣服圧の合計が高いほど、身体へのフィット性が高いことを意味する。上記表２の結果から分かるように、A、B、及びCの衣服圧の合計が実施例１及び２のベストを着用した場合、比較例１と比較して高く、背中心部表面の凹凸に沿って変化しており、冷却材と背中心部表面の凹凸（背骨の窪み）とのフィット性が高まっていた。特に、実施例２のベストを着用した場合、肩甲骨ポケット１６ａ及び１６ｂに凸部７０を設けたことにより、身体とのフィット性がより高まっていた。
【００５４】
実施例１〜２及び比較例１のベストを被験者（男性６名、Ｌサイズ）に衣服の上から着用して、身体に対するフィット感を、１〜５までの５段階で官能評価し、その結果を下記表３に示した。官能評価の値が高いほど、フィット感が良好であることを意味する。
【００５５】
【表３】
2019031768.tif 000005
【００５６】
表３の結果から分かるように、実施例２の方が、首、脇及び背中における冷却材と身体とのフィット性が高かった。
【００５７】
（実施例３）
図７〜８に示されている身体冷却用衣服１０１（ベスト、ＪＡＳＰＯ  Ｌサイズ）を作製した。ポケット９ａ、９ｂ、１０ａ、１０ｂをさらに設けた以外は、実施例１と同様にして作製した。ポケット９ａ、９ｂ、１０ａ、１０ｂの表地として積層布帛ｆを用い、裏地として生地ａを用いた。
【００５８】
（比較例２）
比較例２として、クライオベスト（ＣＲＹＯ  ＶＥＳＴ、クライオ社製）を用いた。
【００５９】
対照例１をベスト着用なしとし、下記のようにスポーツを行う間の休憩時間に実施例１、３及び比較例２のベストを着用した場合の、休憩後の運動を行う際の平均パワー出力及び発汗量を測定した。その結果を下記表４に示した。
【００６０】
（実験１）
被験者：運動鍛錬者（男性）8名、年齢20.3±0.5歳、身長172.0±3.0cm、体重64.5±4.0kg）
環境条件：32℃、50%RH 
プロトコル：安静（10分）→自転車運動（15分）→休憩（15分）→自転車運動（30分）；自転車運動は自転車エルゴメーターを使用し、休憩中にベストを着用した。休憩後の自転車運動では30分間でできるだけ高い総仕事量を発揮するよう指示した。
試験条件：
対照例１：冷却なし（ベスト着用なし）、
比較例２：クライオベスト（胸部及び背中上部のそれぞれに左右対称的に二つの冷却材配置）
実施例１：全てのポケットに冷却材収容
実施例３：全てのポケットに冷却材収容
測定項目：後半運動時の平均パワー出力（平均仕事量）及び発汗量（体重減少量）
【００６１】
【表４】
2019031768.tif 000006
【００６２】
上記表４の結果から分かるように、冷却無しの対照例１に比べて、実施例１及び３の場合は、休憩後の運動における平均パワー出力が高く、運動パフォーマンスが向上していた。背中心部ポケットの裏地の少なくとも一部に伸縮性生地を用いた実施例１及び実施例３では、背中上部に配置したポケットの裏地に非伸縮性生地を用いた比較例２に比べて、発汗量が抑えられており、冷却機能が向上していた。また、胸部、背中上部、首及び脇を覆う領域に冷却材を配置した実施例１と、これらに加え腹部及び背中下部にも冷却材を配置した実施例３では、休憩後の運動における平均パワー出力がほとんど変わらなかった。
【００６３】
対照例１をベスト着用なしとし、下記のようにスポーツを行う間の休憩時間に実施例１、３及び比較例２のベストを着用した場合の、深部体温（直腸温）を測定した。その結果を図１４に示した。また、下記のように官能評価を行い、その結果を下記表５に示した。
【００６４】
（実験２）
被験者：運動鍛錬者（男性）8名…年齢20.5±0.8歳、身長173.0±7.0cm、体重61.2±6.2kg）環境条件：32℃、50%RH 
プロトコル：安静（20分）→自転車運動（45分）→休憩（15分）→自転車運動（10km）；自転車運動は自転車エルゴメーターを使用し、休憩中にベストを着用した。        休憩後の自転車運動では10kmをなるべく速く漕ぐよう指示した。                          試験条件：
対照例１：冷却なし（ベスト着用なし）、
比較例２：クライオベスト（胸部及び背中上部のそれぞれに左右対称的に二つの冷却材配置）
実施例１：全てのポケットに冷却材収容
実施例３：全てのポケットに冷却材収容
測定項目：直腸温（比較例２測定なし）、温熱感覚（官能評価、温冷感を-6〜+6の13段階で主観的に評価、−６が冷たく＋６が温かい）、温熱快適性（官能評価、快・不快を-6〜+6の13段階（−６が不快で、＋６が快）で主観的に評価）、官能評価は、ベスト着時からベスト脱衣直後までの平均値とした。温熱感覚は、数値が低いほど、涼しく感じることを意味する。温熱快適性は、数値が高いほど快適に感じることを意味する。
【００６５】
【表５】
2019031768.tif 000007
【００６６】
上記表５のデータから分かるように、対照例１及び比較例２に比べて、実施例１及び３の方が、涼しく感じるとともに、快適さも良好である。また、図１４のデータから分かるように、対照例１に比べて、実施例１及び３の方が、休憩時及びその後運動時の直腸温が低く、冷却効果が発揮されていた。
【符号の説明】
【００６７】
１、１０１、２０１  身体冷却用衣服
２  表地
３  裏地
４ａ、４ｂ、５、６ａ、６ｂ、７ａ、７ｂ、８、９ａ、９ｂ、１０ａ、１０ｂ、１６ａ、１６ｂ、１７ａ、１７ｂ、１８  ポケット
１１  連結部材
１２ａ、１２ｂ、２２ａ、２２ｂ  脇部
１３、２３  襟部
１４ａ、１４ｂ、２４ａ、２４ｂ  肩部
２０  冷却材
２１  伸縮部材（スピンドル）
３０、８０  伸縮性生地
４０  非伸縮性生地
５０  不織布層及び/又は綿層
６０  積層布帛
１３１  蓋部
１３２  断熱部材
１３３、１３４  留め具固定部
１３５、１３６  留め具
１３７  伸縮手段
２００  背中心部ポケットの試料
３００  引張試験機
４００  衣服圧センサー
【図１】
2019031768.tif 000008
【図２】
2019031768.tif 000009
【図３】
2019031768.tif 000010
【図４】
2019031768.tif 000011
【図５】
2019031768.tif 000012
【図６】
2019031768.tif 000013
【図７】
2019031768.tif 000014
【図８】
2019031768.tif 000015
【図９】
2019031768.tif 000016
【図１０】
2019031768.tif 000017
【図１１】
2019031768.tif 000018
【図１２】
2019031768.tif 000019
【図１３】
2019031768.tif 000020
【図１４】
2019031768.tif 000021
【図１５】
2019031768.tif 000022
【図１６】
2019031768.tif 000023